(57)【要約】【課題】居住者に危険が及ぶ事態を回避し、居住者の安全を確保するとともに、異常事態に迅速に対応することのできる警備装置を提供することである。【解決手段】警備モード切替手段と、操作手段と、警備解除状態から外出警備状態への切替操作を受け付けた時点から第１の退館タイマー時間を計測する外出時タイマ手段と、警備解除状態から在宅警備状態への切替操作を受け付けた時点から第２の退館タイマー時間を計測する在宅時タイマ手段と、異常検知した旨の通報及び報知を行う通報手段を備え、通報手段は、警備モードが外出警備状態に切替えられた時点から第１の退館タイマー時間が経過するまでの間と、警備モードが在宅警備状態に切り替えられた時点から第２の退館タイマー時間が経過するまでの間、監視領域において異常が検知された場合でも、監視センタに対する通報及び監視領域に報知を行わないことを特徴とする警備装置。【選択図】        図１
2009163418.tif 000002
【特許請求の範囲】
【請求項１】
監視領域の警備モードを、前記監視領域において異常を検知した場合において監視センタへの通報及び前記監視領域に対する報知を行わない警備解除状態と、主に居住者が外出中に警備を必要とする場合に、前記監視領域において異常を検知した場合に前記監視センタへ通報を行う外出警備状態と、主に居住者が在宅中に警備を必要とする場合に、前記監視領域において異常を検知した場合に前記監視センタへ通報を行う在宅警備状態と、の間で切り替える警備モード切替手段と、
居住者による前記警備モードを切り替える旨の切り替え操作を受け付ける操作手段と、
前記操作手段によって、前記警備解除状態から前記外出警備状態に切り替える旨の切替操作を居住者から受け付けた時点から、予め定められた所定の第１の退館タイマー時間を計測する外出時退館タイマ手段と、
前記操作手段によって、前記警備解除状態から前記在宅警備状態に切り替える旨の切替操作を居住者から受け付けた時点から、予め定められた所定の第２の退館タイマー時間を計測する在宅時退館タイマ手段と、
前記監視領域における異常を検知する異常検知手段によって異常を検知した場合に前記監視センタに対して異常検知した旨の通報を行うとともに、前記監視領域に対して異常検知した旨の報知を行う通報手段と、を備え、
前記通報手段は、前記警備モードが前記外出警備状態に切替えられた場合、切り替え時点から前記第１の退館タイマー時間が経過するまでの間に、前記監視領域において異常が検知された場合でも、前記監視センタに対して異常検知した旨の通報及び前記監視領域に異常検知した旨の報知を行わず、前記警備モードが前記在宅警備状態に切り替えられた場合、切り替え時点から前記第２の退館タイマー時間が経過するまでの間に、前記監視領域において異常が検知された場合でも、前記監視センタに対して異常検知した旨の通報及び前記監視領域に異常検知した旨の報知を行わないこと、を特徴とする警備装置。
【請求項２】
現在の前記警備モードが前記外出警備状態である場合に、前記監視領域に入館した入館者を前記異常検知手段によって検知した時点から、予め定められた所定の第１の入館タイマー時間を計測する外出時入館タイマ手段と、
現在の前記警備モードが前記在宅警備状態である場合に、前記監視領域のうち在宅警備の対象となる監視領域に入館した入館者を前記異常検知手段によって検知した時点から、予め定められた所定の第２の入館タイマー時間を計測する在宅時入館タイマ手段と、をさらに備え、
前記通報手段は、前記監視領域に入館した入館者を前記異常検知手段によって検知した時点から前記第１の入館タイマー時間が経過するまでの間に前記外出警備状態から前記警備解除状態に切り替える旨の切り替え操作を受け付けた場合には、前記監視領域において異常が検知された場合でも、前記監視センタに対して異常検知した旨の通報及び前記監視領域に異常検知した旨の報知を行わず、前記在宅警備の対象となる監視領域に入館した入館者を前記異常検知手段によって検知した時点から前記第２の入館タイマー時間が経過するまでの間に前記在宅警備状態から前記警備解除状態に切り替える旨の切り替え操作を受け付けた場合には、前記在宅警備の対象となる監視領域において異常が検知された場合でも、前記監視センタに対して異常検知した旨の通報及び前記監視領域に異常検知した旨の報知を行わないこと、を特徴とする請求項１に記載の警備装置。
【請求項３】
前記異常検知手段を識別するための固有の識別情報と、前記異常検知手段が前記在宅時タイマ手段で使用する在宅時対象か前記外出時タイマ手段で使用する外出時対象かを示すタイマ対象とを対応づけた異常検知テーブルを記憶する記憶手段をさらに備え、
前記警備モードが前記外出警備状態に切替えられた場合、切り替え時点から前記第１の退館タイマー時間が経過するまでの間に、前記異常検知手段によって異常が検知された場合に、異常を検知した前記異常検知手段の前記タイマ対象が前記外出時対象であるか否かを判断し、前記警備モードが前記在宅警備状態に切り替えられた場合、切り替え時点から前記第２の退館タイマー時間が経過するまでの間に、前記異常検知手段によって異常が検知された場合に、異常を検知した前記異常検知手段の前記タイマ対象が前記在宅時対象であるかを判断する判断手段と、を更に備え、
前記通報手段は、前記警備モードが前記外出警備状態に切替えられた場合、切り替え時点から前記第１の退館タイマー時間が経過するまでの間に異常を検知した場合であって、前記異常検知手段の前記タイマ対象が前記外出時対象である場合には、前記監視センタに対して異常検知した旨の通報及び前記監視領域に異常検知した旨の報知を行わず、前記警備モードが前記在宅警備状態に切り替えられた場合、切り替え時点から前記第２の退館タイマー時間が経過するまでの間に異常が検知された場合に、異常を検知した前記異常検知手段の前記タイマ対象が前記在宅時対象である場合には、前記監視センタに対して異常検知した旨の通報及び在宅警備の対象である監視領域に異常検知した旨の報知を行わないこと、を特徴とする請求項１に記載の警備装置。
【請求項４】
前記異常検知手段を識別するための固有の識別情報と、前記異常検知手段が前記在宅時タイマ手段で使用する在宅時対象か前記外出時タイマ手段で使用する外出時対象かを示すタイマ対象とを対応づけた異常検知テーブルを記憶する記憶手段と、
現在の前記警備モードが前記外出警備状態である場合であって前記異常検知手段によって異常が検知された場合に、異常を検知した前記異常検知手段の前記タイマ対象が前記外出時対象であるか否かを判断し、現在の前記警備モードが前記在宅警備状態である場合であって前記異常検知手段によって異常が検知された場合に、異常を検知した前記異常検知手段の前記タイマ対象が前記在宅時対象であるか否かを判断する判断手段と、を更に備え、
前記通報手段は、前記監視領域に入館した入館者を、前記タイマ対象が前記外出時対象である前記異常検知手段によって検知した時点から、前記第１の入館タイマー時間が経過するまでの間に、前記外出警備状態から前記警備解除状態に切り替える旨の切り替え操作を受け付けた場合には、前記監視領域において異常が検知された場合でも、前記監視センタに対して異常検知した旨の通報及び前記監視領域に異常検知した旨の報知を行わず、前記監視領域に入館した入館者を、前記タイマ対象が前記在宅時対象である複数の前記異常検知手段によって検知した時点から、前記第２の入館タイマー時間が経過するまでの間に、前記在宅警備状態から前記警備解除状態に切り替える旨の切り替え操作を受け付けた場合には、前記監視領域において異常が検知された場合でも、前記監視センタに対して異常検知した旨の通報及び前記監視領域に異常検知した旨の報知を行わないこと、を特徴とする、請求項２に記載の警備装置。
【請求項５】
前記警備モード切替手段は、さらに、前記在宅警備の対象である監視領域に対して外部からの進入を許可する状態を示す帰宅待ち状態の前記在宅警備状態と前記在宅警備状態との間で前記警備モードを切替え、
前記異常検知テーブルは、さらに、前記タイマ対象が外出時対象である前記異常検知手段の前記識別情報に、前記警備モードが前記帰宅待ち状態の前記在宅警備状態の場合に、前記異常検知手段が、前記外出時タイマ手段で使用される帰宅対象か否かを示す帰宅待ち対象と、を対応付けて記憶し、
前記判断手段は、現在の前記警備モードが前記帰宅待ち状態の前記在宅警備状態である場合に、異常を検知した前記異常検知手段の前記タイマ対象が前記外出時対象であって、かつ前記帰宅待ち対象が前記帰宅対象であるか否かを判断し、
前記外出時タイマ手段は、さらに、異常を検知した前記異常検知手段の前記タイマ対象が前記外出時対象であって、かつ前記帰宅待ち対象が前記帰宅対象である場合に、前記在宅警備の対象の監視領域に入館した入館者を前記異常検知手段によって検知した時点から、前記第１の入館タイマー時間を計測し、
前記通報手段は、さらに、前記在宅警備の対象となる監視領域に入館した入館者を前記異常検知手段によって検知した時点から前記第１の入館タイマー時間が経過するまでの間に前記在宅警備状態から前記警備解除状態に切り替える旨の切り替え操作を受け付けた場合には、前記在宅警備の対象となる監視領域において異常が検知された場合でも、前記監視センタに対して異常検知した旨の通報及び前記監視領域に異常検知した旨の報知を行わないこと、を特徴とする請求項４に記載の警備装置。
【請求項６】
監視領域における異常を検知する警備装置と、前記警備装置とネットワークで接続され、前記警備装置からの警報を受信して所定の監視処理を行う監視センタとの間で実行される警備方法であって、
監視領域の警備モードを、前記監視領域において異常を検知した場合において前記監視センタへの通報及び前記監視領域に対する報知を行わない警備解除状態と、主に居住者が外出中に警備を必要とする場合に、前記監視領域において異常を検知した場合に前記監視センタへ通報を行う外出警備状態と、主に居住者が在宅中に警備を必要とする場合に、前記監視領域において異常を検知した場合に前記監視センタへ通報を行う在宅警備状態と、の間で切り替える警備モード切替ステップと、
居住者による前記警備モードを切り替える旨の切り替え操作を受け付ける操作ステップと、
前記操作ステップによって、前記警備解除状態から前記外出警備状態に切り替える旨の切替操作を居住者から受け付けた時点から、予め定められた所定の第１の退館タイマー時間を計測する外出時退館計時ステップと、
前記操作ステップによって、前記警備解除状態から前記在宅警備状態に切り替える旨の切替操作を居住者から受け付けた時点から、予め定められた所定の第２の退館タイマー時間を計測する在宅時退館計時ステップと、
前記監視領域における異常を検知する異常検知ステップによって異常を検知した場合に前記監視センタに対して異常検知した旨の通報を行うとともに、前記監視領域に対して異常検知した旨の報知を行う通報ステップと、を含み、
前記通報ステップは、前記警備モードが前記外出警備状態に切替えられた場合、切り替え時点から前記第１の退館タイマー時間が経過するまでの間に、前記監視領域において異常が検知された場合でも、前記監視センタに対して異常検知した旨の通報及び前記監視領域に異常検知した旨の報知を行わず、前記警備モードが前記在宅警備状態に切り替えられた場合、切り替え時点から前記第２の退館タイマー時間が経過するまでの間に、前記監視領域において異常が検知された場合でも、前記監視センタに対して異常検知した旨の通報及び前記監視領域に異常検知した旨の報知を行わないこと、を特徴とする警備方法。
【発明の詳細な説明】
【技術分野】
【０００１】
本発明は、監視領域の異常を検知して報知する際の退館タイマーおよび入館タイマーの設定時間を、警備モードによって決定する警備装置及び警備方法に関する。
【背景技術】
【０００２】
近年、警備装置においては、居住者が外出時若しくは在宅時に警報手段の駆動を行うか否かを設定することができるように構成したものが知られている（例えば、特許文献１参照）。この種の警備装置は、通常、監視領域において異常検知した際の通報先への通報の可否などを定めたモードとして警備モードを備えていることが一般的である。代表的な警備モードとしては、警備状態、在宅警備状態、警備解除状態が存在する。警備状態には、外出警備状態と在宅警備状態とが存在する。外出警備状態とは、主に居住者が外出中に警備を必要とする場合に設定する警備モードであり、在宅警備状態とは、主に居住者が在宅中に、警備を必要とする警備モードである。
【０００３】
【特許文献１】特開平２−２７８４９７号公報
【発明の開示】
【発明が解決しようとする課題】
【０００４】
ところで、上述した外出警備状態においては、外出警備開始操作から外出するまでの間や、帰宅時に入室してから警備解除（ＯＦＦ）するまでの間は、誤報防止の必要性から、コントローラから玄関までの経路上に設けたセンサーが人体を検知しても、タイマーで計測される所定時間は警報を発報しないように制御していた。
【０００５】
また、在宅警備状態においては、在宅警備開始操作から寝室に入るまでの間や、起床時に警備状態となっている部屋に入室するまでの間は、誤報防止の必要性から、コントローラから寝室までの経路上に設けたセンサーが人体を検知しても、タイマーで計測される所定時間は警報を発報しないよう制御していた。従来は、外出警備状態と、在宅警備状態では同じタイマーを使用し、同じ時間を計測するように設定していた。また、タイマー計測を行う対象センサーも外出警備状態と在宅警備状態とで共通の設定を行っていた。
【０００６】
しかしながら、上述した制御を行うと、警備モードが在宅警備状態に設定されている場合においては、玄関の扉から不審者が侵入した場合に、タイマーで計測される所定時間が経過するまで警報が発報されないため、居住者が危険にさらされる虞れがあった。また、警備モードを警備解除状態から外出警備状態に切り替える旨の切り替え操作を行った場合、例えば３階で待機していた不審者が、切り替え後に動き出した場合に、在宅時の経路上にあるセンサーが人体を検知した場合にも、タイマーで計測される所定時間が経過した後でないと警報が発報されず、異常事態に迅速な対応ができない問題があった。
【０００７】
本発明は、上記に鑑みてなされたものであって、在宅警備状態において、居住者に危険が及ぶ事態を回避し、居住者の安全を確保するとともに、異常事態に迅速に対応することのできる警備装置及び警備方法を提供することを目的とする。
【課題を解決するための手段】
【０００８】
上述した課題を解決し、目的を達成するために、本発明は警備装置であって、監視領域の警備モードを、前記監視領域において異常を検知した場合において監視センタへの通報及び前記監視領域に対する報知を行わない警備解除状態と、主に居住者が外出中に警備を必要とする場合に、前記監視領域において異常を検知した場合に前記監視センタへ通報を行う外出警備状態と、主に居住者が在宅中に警備を必要とする場合に、前記監視領域において異常を検知した場合に前記監視センタへ通報を行う在宅警備状態と、の間で切り替える警備モード切替手段と、居住者による前記警備モードを切り替える旨の切り替え操作を受け付ける操作手段と、前記操作手段によって、前記警備解除状態から前記外出警備状態に切り替える旨の切替操作を居住者から受け付けた時点から、予め定められた所定の第１の退館タイマー時間を計測する外出時退館タイマ手段と、前記操作手段によって、前記警備解除状態から前記在宅警備状態に切り替える旨の切替操作を居住者から受け付けた時点から、予め定められた所定の第２の退館タイマー時間を計測する在宅時退館タイマ手段と、前記監視領域における異常を検知する異常検知手段によって異常を検知した場合に前記監視センタに対して異常検知した旨の通報を行うとともに、前記監視領域に対して異常検知した旨の報知を行う通報手段と、を備え、前記通報手段は、前記警備モードが前記外出警備状態に切替えられた場合、切り替え時点から前記第１の退館タイマー時間が経過するまでの間に、前記監視領域において異常が検知された場合でも、前記監視センタに対して異常検知した旨の通報及び前記監視領域に異常検知した旨の報知を行わず、前記警備モードが前記在宅警備状態に切り替えられた場合、切り替え時点から前記第２の退館タイマー時間が経過するまでの間に、前記監視領域において異常が検知された場合でも、前記監視センタに対して異常検知した旨の通報及び前記監視領域に異常検知した旨の報知を行わないこと、を特徴とする。
【０００９】
また、請求項２にかかる発明は、請求項１に記載の警備装置であって、現在の前記警備モードが前記外出警備状態である場合に、前記監視領域に入館した入館者を前記異常検知手段によって検知した時点から、予め定められた所定の第１の入館タイマー時間を計測する外出時入館タイマ手段と、現在の前記警備モードが前記在宅警備状態である場合に、前記監視領域のうち在宅警備の対象となる監視領域に入館した入館者を前記異常検知手段によって検知した時点から、予め定められた所定の第２の入館タイマー時間を計測する在宅時入館タイマ手段と、をさらに備え、前記通報手段は、前記監視領域に入館した入館者を前記異常検知手段によって検知した時点から前記第１の入館タイマー時間が経過するまでの間に前記外出警備状態から前記警備解除状態に切り替える旨の切り替え操作を受け付けた場合には、前記監視領域において異常が検知された場合でも、前記監視センタに対して異常検知した旨の通報及び前記監視領域に異常検知した旨の報知を行わず、前記在宅警備の対象となる監視領域に入館した入館者を前記異常検知手段によって検知した時点から前記第２の入館タイマー時間が経過するまでの間に前記在宅警備状態から前記警備解除状態に切り替える旨の切り替え操作を受け付けた場合には、前記在宅警備の対象となる監視領域において異常が検知された場合でも、前記監視センタに対して異常検知した旨の通報及び前記監視領域に異常検知した旨の報知を行わないこと、を特徴とする。
【００１０】
また、請求項３にかかる発明は、請求項１に記載の警備装置であって、前記異常検知手段を識別するための固有の識別情報と、前記異常検知手段が前記在宅時タイマ手段で使用する在宅時対象か前記外出時タイマ手段で使用する外出時対象かを示すタイマ対象とを対応づけた異常検知テーブルを記憶する記憶手段をさらに備え、前記警備モードが前記外出警備状態に切替えられた場合、切り替え時点から前記第１の退館タイマー時間が経過するまでの間に、前記異常検知手段によって異常が検知された場合に、異常を検知した前記異常検知手段の前記タイマ対象が前記外出時対象であるか否かを判断し、前記警備モードが前記在宅警備状態に切り替えられた場合、切り替え時点から前記第２の退館タイマー時間が経過するまでの間に、前記異常検知手段によって異常が検知された場合に、異常を検知した前記異常検知手段の前記タイマ対象が前記在宅時対象であるかを判断する判断手段と、を更に備え、前記通報手段は、前記警備モードが前記外出警備状態に切替えられた場合、切り替え時点から前記第１の退館タイマー時間が経過するまでの間に異常を検知した場合であって、前記異常検知手段の前記タイマ対象が前記外出時対象である場合には、前記監視センタに対して異常検知した旨の通報及び前記監視領域に異常検知した旨の報知を行わず、前記警備モードが前記在宅警備状態に切り替えられた場合、切り替え時点から前記第２の退館タイマー時間が経過するまでの間に異常が検知された場合に、異常を検知した前記異常検知手段の前記タイマ対象が前記在宅時対象である場合には、前記監視センタに対して異常検知した旨の通報及び在宅警備の対象である監視領域に異常検知した旨の報知を行わないこと、を特徴とする。
【００１１】
また、請求項４にかかる発明は、請求項２に記載の警備装置であって、前記異常検知手段を識別するための固有の識別情報と、前記異常検知手段が前記在宅時タイマ手段で使用する在宅時対象か前記外出時タイマ手段で使用する外出時対象かを示すタイマ対象とを対応づけた異常検知テーブルを記憶する記憶手段と、現在の前記警備モードが前記外出警備状態である場合であって前記異常検知手段によって異常が検知された場合に、異常を検知した前記異常検知手段の前記タイマ対象が前記外出時対象であるか否かを判断し、現在の前記警備モードが前記在宅警備状態である場合であって前記異常検知手段によって異常が検知された場合に、異常を検知した前記異常検知手段の前記タイマ対象が前記在宅時対象であるか否かを判断する判断手段と、を更に備え、前記通報手段は、前記監視領域に入館した入館者を、前記タイマ対象が前記外出時対象である前記異常検知手段によって検知した時点から、前記第１の入館タイマー時間が経過するまでの間に、前記外出警備状態から前記警備解除状態に切り替える旨の切り替え操作を受け付けた場合には、前記監視領域において異常が検知された場合でも、前記監視センタに対して異常検知した旨の通報及び前記監視領域に異常検知した旨の報知を行わず、前記監視領域に入館した入館者を、前記タイマ対象が前記在宅時対象である複数の前記異常検知手段によって検知した時点から、前記第２の入館タイマー時間が経過するまでの間に、前記在宅警備状態から前記警備解除状態に切り替える旨の切り替え操作を受け付けた場合には、前記監視領域において異常が検知された場合でも、前記監視センタに対して異常検知した旨の通報及び前記監視領域に異常検知した旨の報知を行わないこと、を特徴とする。
【００１２】
また、請求項５にかかる発明は、請求項４に記載の警備装置であって、前記警備モード切替手段は、さらに、前記在宅警備の対象である監視領域に対して外部からの進入を許可する状態を示す帰宅待ち状態の前記在宅警備状態と前記在宅警備状態との間で前記警備モードを切替え、前記異常検知テーブルは、さらに、前記タイマ対象が外出時対象である前記異常検知手段の前記識別情報に、前記警備モードが前記帰宅待ち状態の前記在宅警備状態の場合に、前記異常検知手段が、前記外出時タイマ手段で使用される帰宅対象か否かを示す帰宅待ち対象と、を対応付けて記憶し、前記判断手段は、現在の前記警備モードが前記帰宅待ち状態の前記在宅警備状態である場合に、異常を検知した前記異常検知手段の前記タイマ対象が前記外出時対象であって、かつ前記帰宅待ち対象が前記帰宅対象であるか否かを判断し、前記外出時タイマ手段は、さらに、異常を検知した前記異常検知手段の前記タイマ対象が前記外出時対象であって、かつ前記帰宅待ち対象が前記帰宅対象である場合に、前記在宅警備の対象の監視領域に入館した入館者を前記異常検知手段によって検知した時点から、前記第１の入館タイマー時間を計測し、前記通報手段は、さらに、前記在宅警備の対象となる監視領域に入館した入館者を前記異常検知手段によって検知した時点から前記第１の入館タイマー時間が経過するまでの間に前記在宅警備状態から前記警備解除状態に切り替える旨の切り替え操作を受け付けた場合には、前記在宅警備の対象となる監視領域において異常が検知された場合でも、前記監視センタに対して異常検知した旨の通報及び前記監視領域に異常検知した旨の報知を行わないこと、を特徴とする。
【００１３】
また、請求項６にかかる発明は、監視領域における異常を検知する警備装置と、前記警備装置とネットワークで接続され、前記警備装置からの警報を受信して所定の監視処理を行う監視センタとの間で実行される警備方法であって、監視領域の警備モードを、前記監視領域において異常を検知した場合において前記監視センタへの通報及び前記監視領域に対する報知を行わない警備解除状態と、主に居住者が外出中に警備を必要とする場合に、前記監視領域において異常を検知した場合に前記監視センタへ通報を行う外出警備状態と、主に居住者が在宅中に警備を必要とする場合に、前記監視領域において異常を検知した場合に前記監視センタへ通報を行う在宅警備状態と、の間で切り替える警備モード切替ステップと、居住者による前記警備モードを切り替える旨の切り替え操作を受け付ける操作ステップと、前記操作ステップによって、前記警備解除状態から前記外出警備状態に切り替える旨の切替操作を居住者から受け付けた時点から、予め定められた所定の第１の退館タイマー時間を計測する外出時退館計時ステップと、前記操作ステップによって、前記警備解除状態から前記在宅警備状態に切り替える旨の切替操作を居住者から受け付けた時点から、予め定められた所定の第２の退館タイマー時間を計測する在宅時退館計時ステップと、前記監視領域における異常を検知する異常検知ステップによって異常を検知した場合に前記監視センタに対して異常検知した旨の通報を行うとともに、前記監視領域に対して異常検知した旨の報知を行う通報ステップと、を含み、前記通報ステップは、前記警備モードが前記外出警備状態に切替えられた場合、切り替え時点から前記第１の退館タイマー時間が経過するまでの間に、前記監視領域において異常が検知された場合でも、前記監視センタに対して異常検知した旨の通報及び前記監視領域に異常検知した旨の報知を行わず、前記警備モードが前記在宅警備状態に切り替えられた場合、切り替え時点から前記第２の退館タイマー時間が経過するまでの間に、前記監視領域において異常が検知された場合でも、前記監視センタに対して異常検知した旨の通報及び前記監視領域に異常検知した旨の報知を行わないこと、を特徴とする。
【発明の効果】
【００１４】
本発明にかかる警備装置及び警備方法によれば、在宅警備状態と外出警備状態とで使用するタイマを分け、在宅警備状態においては在宅時タイマを用いて計時し、外出警備状態においては外出時タイマを用いて計時することにより、警報を発報するまでの猶予時間を個別に設定することができる。これにより、居住者に危険が及ぶ事態を回避し、居住者の安全を確保するとともに、異常事態に迅速に対応することが可能である。
【発明を実施するための最良の形態】
【００１５】
以下に添付図面を参照して、この発明にかかる警備装置及び警備方法の最良な実施の形態を詳細に説明する。
【００１６】
（第１の実施の形態）
図１は、第１の実施の形態にかかる警備システム１００の構成を示すブロック図である。警備装置１１０（本体）は、ネットワーク２４０を介して監視センタ２５０に接続されている。ネットワーク２４０は、電話回線、無線ネットワーク、インターネットなどである。
【００１７】
監視センタ２５０は、監視領域の異常を検知した警備装置１１０からの通報を受け、待機中の警備員に対して異常が検知された監視領域（不図示）へ向かう旨の指示を出すとともに、必要に応じて警察や消防など関係機関への通報を行うセンタである。
【００１８】
次に、警備装置１１０の詳細について説明する。本実施の形態にかかる警備装置１１０は、入出力制御部２０３と、通信制御部２０４と、制御部２１０と、複数のセンサ２０１ａ〜２０１ｎ、２０２ａ〜２０２ｎと、警備装置（コントローラ）２２０と、を主に備えている。
【００１９】
入出力制御部２０３は、コントローラ２２０の入出力制御、センサ２０１ａ〜２０１ｎ、２０２ａ〜２０２ｎの入力制御より種々のデータの入出力を制御する処理部である。
【００２０】
通信制御部２０４は、警備装置１１０とネットワーク２４０との間における通信を制御するものであり、具体的にはネットワークボードなどが該当する。
【００２１】
制御部２１０は、警備装置１１０の全体制御を行うものであり、さらに警備モード切替部２１１と、異常通報部２１２と、警備モード記憶部２１３と、センサテーブル記憶部２１４と、外出時入館タイマー２１５と、外出時退館タイマー２１６と、在宅時入館タイマー２１７と、在宅時退館タイマー２１８と、判断部２１９と、を主に備えている。
【００２２】
警備モード切替部２１１は、警備モード記憶部２１３に、警備装置（コントローラ）２２０から入力を受け付けた警備モードを記憶させることにより設定を行うものである。ここで、警備モードとは、監視領域において異常検知した際の通報先への通報の可否、または前記監視領域に対する報知の可否などを定めたモードであり、異常を検知したときの警備装置１１０の動作を決定するモードである。警備モードは、通報の可否および通報先、各監視領域への報知の有無などによって複数のモードが存在する。代表的な警備モードとしては、外出警備状態、在宅警備状態、警備解除状態が存在し、コントローラ２２０における操作により、前記監視領域の警備モードを設定するようにしている。
【００２３】
まず、外出警備状態とは、主に居住者が外出中の場合に警備を必要とする場合に設定する警備モードであり、センサによって異常を検知したときに発せられる検知信号を警備装置が受信した場合に、監視センタに異常を知らせる警報を通報する状態である。なお、警備装置の設置されている監視領域において異常を検知したことを報知する場合もある。これは、侵入者を威嚇する目的や誤報である場合に警報解除操作を促す目的で報知するものである。
【００２４】
在宅警備状態とは、主に居住者が在宅中、警備を必要とする場合に設定する警備モードであり、センサによって異常を検知したときに発せられる検知信号を警備装置が受信した場合に、監視領域において異常を検知したことを報知する状態である。なお、監視領域だけではなく監視センタに異常を知らせる警報を報知する場合もある。これは、在宅時においても監視センタへの通報を行う契約を結んだ場合であり、監視領域において異常を検知したことを報知した後に、監視センタに通報を行うなどの動作をする。
【００２５】
警備解除状態とは、主に居住者が在宅中、警備を必要としない場合に設定する警備モードであり、センサによって異常を検知したときに発せられる検知信号を警備装置が受信した場合でも、監視センタへの警報の通報、監視領域における異常の検知、通報先端末への異常の通報のいずれも行わない状態である。これは、センサにより異常が検知（人の存在の検知、扉の開閉の検知）されても、在宅中の居住者を検知したものと判断するためである。
【００２６】
なお、検知された異常が火災やガス漏れの場合、または、非常ボタンが操作された場合は、前記いずれの警備モードであるかによらず、監視センタへの通報、各エリアへの異常が検知された旨の報知などを行う。
【００２７】
異常通報部２１２は、監視領域の警備モードが外出警備状態または在宅警備状態等の通報を行う状態に設定されているとき、即ち、警備モード記憶部２１３に外出警備状態または在宅警備状態等が記憶されているとき、当該監視領域に設置されたセンサ２０１ａ〜２０１ｎ、センサ２０２ａ〜２０２ｎから検知信号が出力されると、これを入出力制御部２０３によって受信して、これを監視センタ２５０に対して異常が検知された旨を通報するとともに、監視領域に異常が検知された旨を報知する。
【００２８】
警備モード記憶部２１３は、警備モードテーブル及び監視領域における現在の警備モードを記憶するメモリ、ＨＤＤ等の記憶媒体である。図２は、第１の実施の形態にかかる警備モードテーブルのデータ構造の一例を示す図である。本実施の形態においては、警備モードテーブルは、監視領域の固有の識別情報である監視領域ＩＤと、警備モードとを対応付けて記憶している。監視領域ＩＤとは、監視領域が複数の部屋から構成される場合に、各部屋毎に与えられる識別情報である。警備モードを在宅警備状態に設定した場合、監視領域を構成する複数の部屋毎に異なる警備モードを設定することができる。例えば、監視領域ＩＤがＨ００１である部屋を在宅警備状態に設定し、監視領域ＩＤがＨ００２である部屋を警備解除状態に設定することができる。警備モードを外出警備状態に設定した場合には、監視領域ＩＤの全てが外出警備状態に設定される。
【００２９】
センサテーブル記憶部（記憶手段）２１４は、センサテーブルを記憶するメモリ、ＨＤＤ等の記憶媒体である。図３は、第１の実施の形態にかかるセンサテーブルのデータ構造の一例を示す図である。本実施の形態においては、センサテーブルは、異常検知手段であるセンサの固有の識別情報であるセンサＩＤと、センサ２０１ａ〜２０１ｎ、２０２ａ〜２０２ｎが、外出時タイマー（外出時入館タイマー２１５若しくは外出時退館タイマー２１６）が起動する場合に用いるセンサであるか、あるいは、在宅時タイマー（在宅時入館タイマー２１７若しくは在宅時退館タイマー２１８）が起動する場合に用いるセンサであるかを示すタイマー対象と、監視領域ＩＤとを対応付けて記憶している。
【００３０】
外出時入館タイマー２１５は、警備モードが外出警備状態である場合に、監視領域に入館してきた入館者が検知された場合、その検知された時点から予め定められた所定の第１の入館タイマ時間を計測するものである。外出時入館タイマー２１５の計時中は、監視領域において異常が検知されたとしても、入出力制御部２０３において受信した検知信号を保留し、異常通報部２１２によって監視センタ２５０に対する異常検知した旨の通報及び監視領域に対する異常検知した旨の報知を行わないようにする。
【００３１】
外出時退館タイマー２１６は、操作表示部２２１により居住者から警備モードを警備解除状態から外出警備状態に切り替える旨の切り替え操作を受け付けた時点から予め定められた所定の第１の退館タイマ時間を計測するものである。外出時退館タイマー２１６の計時中は、監視領域において異常が検知されたとしても、入出力制御部２０３において受信した検知信号を保留し、異常通報部２１２によって監視センタ２５０に対する異常検知した旨の通報及び監視領域に対する異常検知した旨の報知を行わないようにする。
【００３２】
在宅時入館タイマー２１７は、警備モードが在宅警備状態である場合に、監視領域に入館してきた入館者が検知された場合、その検知された時点から予め定められた所定の第２の入館タイマ時間を計測するものである。在宅時入館タイマー２１７の計時中は、監視領域において異常が検知されたとしても、入出力制御部２０３において受信した検知信号を保留し、異常通報部２１２によって監視センタ２５０に対する異常検知した旨の通報及び監視領域に対する異常検知した旨の報知を行わないようにする。
【００３３】
在宅時退館タイマー２１８は、操作表示部２２１により居住者から警備モードを警備解除状態から在宅警備状態に切り替える旨の切り替え操作を受け付けた時点から予め定められた所定の第２の退館タイマ時間を計測するものである。在宅時退館タイマー２１８の計時中は、監視領域において異常が検知されたとしても、入出力制御部２０３において受信した検知信号を保留し、異常通報部２１２によって監視センタ２５０に対する異常検知した旨の通報及び監視領域に対する異常検知した旨の報知を行わないようにする。
【００３４】
外出時入館タイマー２１５により計測する第１の入館タイマ時間と、在宅時入館タイマー２１７により計測する第２の入館タイマ時間とは、異なるタイマ時間を設定することが可能である。外出時入館タイマー２１５により計測する第１の入館タイマ時間においては、居住者が帰宅した後、監視領域に設定した住居に入館し、コントローラ２２０により、警備モードを外出警備状態から警備解除状態に切り替える旨の切り替え操作を行うまでの移動について猶予時間を設定する必要がある。一方、在宅時入館タイマー２１７により計測する第２の入館タイマ時間においては、居住者が警備解除状態に設定した領域から、在宅警備状態に設定した監視領域に入館し、コントローラ２２０により、警備モードを在宅警備状態から警備解除状態に切り替える旨の切り替え操作を行うまでの移動について猶予時間を設定する必要がある。外出時入館タイマー２１５起動時の居住者の移動量は在宅時入館タイマー２１７起動時の居住者の移動量に比較して大きいことから、外出時入館タイマー２１５により計測する第１の入館タイマ時間は、在宅時入館タイマー２１７により計測する第２の入館タイマ時間より長い時間に設定することが好ましい。
【００３５】
外出時退館タイマー２１６により計測する第１の退館タイマ時間と、在宅時退館タイマー２１８により計測する第２の退館タイマ時間とは、異なるタイマ時間を設定することが可能である。外出時退館タイマー２１６により計測する第１の退館タイマ時間においては、コントローラ２２０により、居住者から警備モードを警備解除状態若しくは在宅警備状態から外出警備状態に切り替える旨の切り替え操作を受け付けてから、居住者が玄関から屋外へ退出するまでの移動について猶予時間を設定する必要がある。在宅時退館タイマー２１８により計測する第２の退館タイマ時間においては、コントローラ２２０により、居住者から警備モードを警備解除状態から在宅警備状態に切り替える旨の切り替え操作を受け付けてから、居住者が在宅警備状態に設定した監視領域から警備解除状態に設定した領域に退出するまでの移動について猶予時間を設定する必要がある。外出時退館タイマー２１６起動時の居住者の移動量は、在宅時退館タイマー２１８起動時の居住者の移動量に比較して大きいことから、外出時退館タイマー２１６により計測する第1の退館タイマ時間は、在宅時退館タイマー２１８により計測する第２の退館タイマ時間より長い時間に設定することが好ましい。
【００３６】
判断部２１９は、警備モードテーブルから監視領域ＩＤに対応する警備モードを取得し、監視領域における現在の警備モードが警備状態であるか警備解除状態であるか等を判断する。また、センサテーブルから検知信号のセンサＩＤに対応するタイマー対象と監視領域ＩＤを取得し、異常検知したセンサが在宅時タイマー対象センサであるか、外出時タイマー対象センサであるか等を判断する。
【００３７】
センサ２０１ａ〜２０１ｎ、２０２ａ〜２０２ｎは、監視領域に設置されており、主に侵入者等の異常を検知する目的で設置された人感センサであり、たとえば赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域の異常を検出する各種センサが該当し、人の存在や扉の開閉を検知した場合に検知信号を出力する。
【００３８】
外出時タイマー対象センサ２０１ａ〜２０１ｎは、警備モードが外出警備状態であって、外出時タイマー２１５、２１６が起動する場合に、異常検知を行うセンサである。
【００３９】
在宅時タイマー対象センサ２０２ａ〜２０２ｎは、警備モードが在宅警備状態であって、在宅時タイマー２１７、２１８が起動する場合に、異常検知を行うセンサである。
【００４０】
警備装置（コントローラ）２２０は、監視領域に設置されており、居住者から警備モード設定操作等のための制御を行うものである。コントローラ２２０は、操作表示部２２１と、マイク２２２と、スピーカ２２３とを、主に備えている。
【００４１】
操作表示部２２１は、例えばタッチ入力式の液晶画面であり、居住者に対して各種設定画面を表示して、居住者から各監視領域における警備モードの入力を受け付けるものである。
【００４２】
マイク２２２は、監視領域にいる居住者が発した音声を取得するものである。スピーカ２２３は送信された音声や、メロディ音等を出力するものである。
【００４３】
次に、以上のように構成された本実施の形態の警備装置１１０を、住居用建築物を監視領域として配設した一例を示して説明する。図４は、第１の実施の形態にかかる警備装置１１０を、住居用建築物を監視領域として配設した一例を示す説明図である。住居用建築物から屋外への出入口である１階の玄関と、２階のリビングルームからバルコニーへの出入り口及び３階の洋室３からバルコニーへの出入口と、ルーフバルコニーへの出入口と、１階納戸及び２階リビングルームの側壁に、屋外に面して設けた窓の両端部には開閉センサが設置されている。また、住居用建築物の１階玄関から３階に至る階段状に屈曲した経路には、空間センサが設置されている。２階のリビングルームにはコントローラ２２０が配設されている。
【００４４】
上述の配置態様となる住居用建築物において、図４において、警備モードが外出警備状態における居住者の外出時の経路を実線で、警備モードが在宅警備状態における居住者の在宅時の経路を点線で、それぞれ矢示している。
【００４５】
外出時タイマー対象センサ２０１ａ、２０１ｂ、２０１ｃは、２階の階段昇降口、１階の階段昇降口、１階の玄関扉付近にそれぞれ設置してある。これらの外出時タイマー対象センサ２０１ａ、２０１ｂ、２０１ｃは、外出警備状態における居住者の経路に沿って配設されている。例えば、コントローラ２２０により、居住者から警備モードを警備解除状態から外出警備状態に切り替える旨の切り替え操作を受け付けた時点から、外出時退館タイマーが所定の第１のタイマー時間を計測している間、実線で矢示する経路を通過する居住者を外出時タイマー対象センサ２０１ｃ、２０１ｂ、２０１ａによって検知する。また、帰宅した居住者を外出時タイマー対象センサ２０１ｃで検知した時点から、外出時入館タイマーが所定の第１の入館タイマ時間を計測している間、実線の矢示と反対方向の経路を通過する居住者を外出時タイマー対象センサ２０１ｂ、２０１ａで検知する。
【００４６】
在宅時タイマー対象センサ２０２ａ、２０２ｂ、２０２ｃは、２階の階段昇降口、３階の階段昇降口、３階の洋室２と洋室１とを仕切る扉付近にそれぞれ設置してある。これらの在宅時タイマー対象センサ２０２ａ、２０２ｂ、２０２ｃは、在宅警備状態における居住者の経路に沿って配設されている。例えば、２階のリビングルームを監視領域と設定する場合、コントローラ２２０により、居住者から警備モードを警備解除状態から在宅警備状態に切り替える旨の操作を受け付けた時点から、在宅時退館タイマーが所定の第２のタイマー時間を計測している間、実線で矢示する経路を通過する居住者を在宅時タイマー対象センサ２０２ａ、２０２ｂ、２０２ｃによって検知する。また、同様に２階のリビングルームを監視領域と設定する場合、３階の洋室３から監視領域である２階のリビングルームへ向かう居住者を在宅時タイマー対象センサ２０２ｃで検知した時点から、在宅時入館タイマーが所定の第２の入館タイマ時間を計測している間、点線の矢示と反対方向の経路を通過する居住者を外出時タイマー対象センサ２０２ｂ、２０２ａで検知する。
【００４７】
次に、以上のように構成された本実施の形態の警備装置１１０における、在宅時入館タイマー２１７のタイマー処理の手順について説明する。図５は、警備モードが在宅警備状態に設定されている場合における、在宅時入館タイマーのタイマー処理の手順を示すフローチャートである。
【００４８】
入出力制御部２０３は、監視領域のセンサから最初に発報された検知信号とセンサＩＤを受信する（ステップＳ１００）。判断部２１９は、センサテーブル記憶部２１４を参照し、センサテーブルから、受信したセンサＩＤに対応するタイマー対象と監視領域ＩＤを取得する（ステップＳ１０２）。続いて、判断部２１９は、警備モード記憶部２１３を参照し、警備モードテーブルから、取得した監視領域ＩＤに対応する警備モードを取得する（ステップＳ１０４）。
【００４９】
判断部２１９は、取得した監視領域の警備モードが警備状態であるか否かを判断する（ステップＳ１０６）。監視領域の警備モードが警備状態であると判断した場合には（ステップＳ１０６，Ｙｅｓ）、次に、判断部２１９は、検知信号を発報したセンサが在宅時タイマー対象センサ２０２ａ〜２０２であるか否かを判断する（ステップＳ１０８）。判断部２１９は、検知信号を発報したセンサが在宅時タイマー対象センサ２０２ａ〜２０２ｎであると判断した場合には（ステップＳ１０８，Ｙｅｓ）、在宅時入館タイマー２１７を起動する（ステップＳ１１０）。在宅時入館タイマー２１７は、予め定められた第１の入館タイマ時間を計測する。この入館タイマ時間の設定時間は特定範囲に限定されるものではない。在宅警備状態における居住者の安全を確保する必要性から０秒に設定することも可能である。
【００５０】
ステップＳ１０８において、判断部２１９が検知信号を発報したセンサが在宅時タイマー対象センサ２０２ａ〜２０２ｎでないと判断した場合には（ステップＳ１０８，Ｎｏ）、異常通報部２１２は，異常が検知された旨を監視センタ２５０に通報し（ステップＳ１２４）、監視領域に対して異常が検知された旨を報知する（ステップＳ１２６）。その後、判断部２１９は、在宅時入館タイマー２１７を停止する（ステップＳ１２８）。また、ステップＳ１０６において、判断部２１９が、監視領域の警備モードが警備状態でないと判断した場合には（ステップＳ１０６，Ｎｏ）、異常通報部２１２は検知信号を取り消して（ステップＳ１３０）、在宅時入館タイマー２１７を停止する（ステップＳ１２８）。
【００５１】
入出力制御部２０３は、在宅時入館タイマー２１７起動中において、さらに監視領域のセンサから発報された検知信号とセンサＩＤを受信する（ステップＳ１１２）。判断部２１９は、センサテーブル記憶部２１４を参照し、センサテーブルから、受信したセンサＩＤに対応するタイマー対象を取得する（ステップＳ１１４）。次に、判断部２１９は、検知信号を発報したセンサが在宅時タイマー対象センサ２０２ａ〜２０２ｎであるか否かを判断する（ステップＳ１１６）。判断部２１９が、検知信号を発報したセンサが在宅時タイマー対象センサ２０２ａ〜２０２ｎであると判断した場合には（ステップＳ１１６，Ｙｅｓ）、異常通報部２１２は、入出力制御部２０３において受信した検知信号を保留にする（ステップＳ１１８）。判断部２１９が、検知信号を発報したセンサが在宅時タイマー対象センサ２０２ａ〜２０２ｎでないと判断した場合には（ステップＳ１１６，Ｎｏ）、ステップＳ１２４に進む。
【００５２】
判断部２１９は、在宅時入館タイマー２１７が起動中に、操作表示部２２１において、居住者から監視領域の警備モードを警備解除状態に切り替える旨の切り替え操作を受け付けたか否かを判断する（ステップＳ１２０）。判断部２１９が、操作表示部２２１において、居住者から監視領域の警備モードを警備解除状態に切り替える旨の切り替え操作を受け付けたと判断した場合には（ステップＳ１２０，Ｙｅｓ）、異常通報部２１２は検知信号を取り消して（ステップＳ１３０）、在宅時入館タイマー２１７を停止する（ステップＳ１２８）。
【００５３】
ここで、監視領域の警備モードの切り替え処理について説明する。図７は、操作表示部２２１における監視領域の警備モード設定画面の一例を示す模式図である。操作表示部２２１には、警備モード設定としての、外出警備状態、警備解除状態、在宅警備状態に対応する各ボタンが表示される。例えば、警備モードを警備解除状態から外出警備状態に設定する場合には、居住者が外出警備状態のボタンを押下すると、設定を行う警備モードが外出警備状態に選択される。このようにして、操作表示部２２１は、居住者による警備モードの選択を受け付ける。
【００５４】
ステップＳ１２０において、判断部２１９が、操作表示部２２１において、居住者から監視領域の警備モードを警備解除状態に切り替える旨の切り替え操作を受け付けていないと判断した場合には（ステップＳ１２０，Ｎｏ）、在宅時入館タイマー２１７は第２の入館タイマ時間が経過したか否かを判断する（ステップＳ１２２）。在宅時入館タイマー２１７が、第２の入館タイマ時間が経過したと判断した場合には（ステップＳ１２２，Ｙｅｓ）、異常通報部２１２は、異常が検知された旨を監視センタ２５０に通報し（ステップＳ１２４）、監視領域に対して異常が検知された旨を報知する（ステップＳ１２６）。その後、在宅時入館タイマー２１７はタイマ計測を停止する（ステップＳ１２８）。ステップＳ１２２において、在宅時入館タイマー２１７が第２の入館タイマ時間が経過していないと判断した場合には（ステップＳ１２２，Ｎｏ）、ステップＳ１２０に戻る。上述したステップＳ１１２からステップＳ１３０までの処理は、在宅時入館タイマー２１７が所定の第２の入館タイマ時間を計測している間に繰り返し行われる。
【００５５】
続いて、警備モードが在宅警備状態に設定されている場合における在宅時タイマー対象センサの動作について説明する。図６は、警備モードが在宅警備状態に設定されている場合において、在宅時入館タイマーが第２の入館タイマ時間計測中である場合における在宅時タイマー対象センサの動作を示すタイムチャートである。
【００５６】
外出時タイマー対象センサ２０１ａ〜２０１ｎによって、監視領域において異常が検知された場合には、異常通報部２１２は、異常を検知した旨を監視センタ２５０に通報し、監視領域に対して異常検知した旨報知する。一方、在宅時タイマー対象センサ２０２ａ〜２０２ｎによって監視領域において異常が検知された場合には、在宅時入館タイマー２１７が予め定められた第２の入館タイマ時間Ｔ２を計測している間は、異常通報部２１２は、異常を検知した旨の監視センタ２５０に対する通報及び監視領域への報知を行わない。
【００５７】
次に、本実施の形態の警備装置１１０における、外出時入館タイマー２１５のタイマー処理の手順について説明する。図８は、警備モードが外出警備状態に設定されている場合における、外出時入館タイマーのタイマー処理の手順を示すフローチャートである。
【００５８】
入出力制御部２０３は、監視領域のセンサから最初に発報された検知信号とセンサＩＤを受信する（ステップＳ２００）。判断部２１９は、センサテーブル記憶部２１４を参照し、センサテーブルから、受信したセンサＩＤに対応するタイマー対象を取得する（ステップＳ２０２）。続いて判断部２１９は、検知信号を発報したセンサが外出時タイマー対象センサ２０１ａ〜２０１ｎであるか否かを判断する（ステップＳ２０４）。判断部２１９が、検知信号を発報したセンサが外出時タイマー対象センサ２０１ａ〜２０１ｎであると判断した場合には（ステップＳ２０４，Ｙｅｓ）、判断部２１９は、外出時入館タイマー２１５を起動する（ステップＳ２０６）。この外出時入館タイマー２１５により計測する第１の入館タイマ時間の設定時間は特定範囲に限定されるものではないが、前述した通り、在宅時入館タイマー２１７により計測する第２の入館タイマ時間よりも長い時間に設定することが好ましい。外出警備状態における居住者の安全を確保する必要性から０秒に設定することも可能である。
【００５９】
一方、ステップＳ２０４において、判断部２１９が、検知信号を発報したセンサが外出時タイマー対象センサ２０１ａ〜２０１ｎでないと判断した場合には（ステップＳ２０４，Ｎｏ）、異常通報部２１２は、異常が検知された旨を監視センタ２５０に通報し（ステップＳ２２０）、監視領域に対して異常が検知された旨を報知する（ステップＳ２２２）。その後、判断部２１９は、外出時入館タイマー２１５を停止する（ステップＳ２２４）。
【００６０】
入出力制御部２０３は、外出時入館タイマー２１５起動中において、さらに監視領域のセンサから発報された検知信号とセンサＩＤを受信する（ステップＳ２０８）。判断部２１９は、センサテーブル記憶部２１４を参照し、センサテーブルから、受信したセンサＩＤに対応するタイマー対象を取得する（ステップＳ２１０）。次に、判断部２１９は、検知信号を発報したセンサが外出時タイマー対象センサ２０１ａ〜２０１ｎであるか否かを判断する（ステップＳ２１２）。判断部２１９が、検知信号を発報したセンサが外出時タイマー対象センサ２０１ａ〜２０１ｎであると判断した場合には（ステップＳ２１２，Ｙｅｓ）、異常通報部２１２は、入出力制御部２０３において受信した検知信号を保留にする（ステップＳ２１４）。判断部２１９が、検知信号を発報したセンサが外出時タイマー対象センサ２０１ａ〜２０１ｎでないと判断した場合には（ステップＳ２１２，Ｎｏ）、ステップＳ２２０に進む。
【００６１】
判断部２１９は、外出時入館タイマー２１５が起動中に、操作表示部２２１において、居住者から監視領域の警備モードを警備解除状態に切り替える旨の切り替え操作を受け付けたか否かを判断する（ステップＳ２１６）。判断部２１９が、操作表示部２２１において、居住者から監視領域の警備モードを警備解除状態に切り替える旨の切り替え操作を受け付けたと判断した場合には（ステップＳ２１６，Ｙｅｓ）、異常通報部２１２は検知信号を取り消して（ステップＳ２２６）、外出時入館タイマー２１５を停止する（ステップＳ２２４）。
【００６２】
ステップＳ２１６において、判断部２１９が、操作表示部２２１において、居住者から監視領域の警備モードを警備解除状態に切り替える旨の切り替え操作を受け付けていないと判断した場合には（ステップＳ２１６，Ｎｏ）、外出時入館タイマー２１５は、第１の入館タイマ時間が経過したか否かを判断する（ステップＳ２１８）。外出時入館タイマー２１５によって、第１の入館タイマ時間が経過したと判断された場合には（ステップＳ２１８，Ｙｅｓ）、異常通報部２１２は、異常が検知された旨を監視センタ２５０に通報し（ステップＳ２２０）、監視領域に対して異常が検知された旨を報知する（ステップＳ２２２）。その後、異常通報部２１２は、外出時入館タイマー２１５を停止する（ステップＳ２２４）。ステップＳ２１８において、外出時入館タイマー２１５によって第１の入館タイマ時間が経過していないと判断された場合には（ステップＳ２１８，Ｎｏ）、ステップＳ２１６に戻る。上述したステップＳ２０８からステップＳ２２６までの処理は、外出時入館タイマー２１５が所定の第１の入館タイマ時間を計測している間、繰り返し行われる。
【００６３】
続いて、警備モードが外出警備状態に設定されている場合における外出時タイマー対象センサの動作について説明する。図９は、警備モードが外出警備状態に設定されている場合において、外出時入館タイマーが第１の入館タイマ時間計測中である場合における外出時タイマー対象センサの動作を示すタイムチャートである。
【００６４】
外出時タイマー対象センサ２０１ａ〜２０１ｎによって、監視領域において異常が検知された場合には、外出時入館タイマー２１５が予め定められた第１の入館タイマ時間Ｔ１を計測している間は、異常通報部２１２は、異常を検知した旨、監視センタ２５０に対する通報及び監視領域に対する報知を行わない。一方、在宅時タイマー対象センサ２０２ａ〜２０２ｎによって監視領域において異常が検知された場合には、異常通報部２１２は、異常を検知した旨を監視センタ２５０に通報し、監視領域に対して異常検知した旨報知する。
【００６５】
次に、本実施の形態の警備装置１１０における、在宅時退館タイマー２１８のタイマー処理の手順について説明する。図１０は、警備モードが在宅警備状態に設定されている場合における、在宅時退館タイマー２１８のタイマー処理の手順を示すフローチャートである。
【００６６】
判断部２１９は、操作表示部２２１において、居住者から監視領域の警備モードを在宅警備状態に切り替える旨の切り替え操作を受け付けたか否かを判断する（ステップＳ３００）。判断部２１９が、操作表示部２２１において、居住者から監視領域の警備モードを在宅警備状態に切り替える旨の切り替え操作を受け付けたと判断した場合には（ステップＳ３００，Ｙｅｓ）、判断部２１９は在宅時退館タイマー２１８を起動する（ステップＳ３０２）。この退館タイマ時間の設定時間は特定範囲に限定されるものではない。在宅警備状態における居住者の安全を確保する必要性から０秒に設定することも可能である。ステップＳ３００において、判断部２１９が、操作表示部２２１において、居住者から監視領域の警備モードを在宅警備状態に切り替える旨の切り替え操作を受け付けていないと判断した場合には（ステップＳ３００，Ｎｏ）、ステップＳ３００に戻る。
【００６７】
入出力制御部２０３は、在宅時退館タイマー２１８起動中において、さらに監視領域のセンサから発報された検知信号とセンサＩＤを受信する（ステップＳ３０４）。判断部２１９は、センサテーブル記憶部２１４を参照し、センサテーブルから、受信したセンサＩＤに対応するタイマー対象を取得する（ステップＳ３０６）。次に、判断部２１９は、検知信号を発報したセンサが在宅時タイマー対象センサ２０２ａ〜２０２ｎであるか否かを判断する（ステップＳ３０８）。判断部２１９は、検知信号を発報したセンサが在宅時タイマー対象センサ２０２ａ〜２０２ｎであると判断した場合には（ステップＳ３０８，Ｙｅｓ）、異常通報部２１２は、入出力制御部２０３において受信した検知信号を保留にする（ステップＳ３１０）。判断部２１９は、検知信号を発報したセンサが在宅時タイマー対象センサ２０２ａ〜２０２ｎでないと判断した場合には（ステップＳ３０８，Ｎｏ）、ステップＳ３１４に進む。
【００６８】
在宅時退館タイマー２１８は、第２の退館タイマ時間が経過したか否かを判断する（ステップＳ３１２）。在宅時退館タイマー２１８によって、第２の退館タイマ時間が経過したと判断された場合には（ステップＳ３１２，Ｙｅｓ）、異常通報部２１２は、異常が検知された旨を監視センタ２５０に通報し（ステップＳ３１４）、監視領域に対して異常が検知された旨を報知する（ステップＳ３１６）。その後、判断部２１９は、在宅時退館タイマー２１８を停止する（ステップＳ３１８）。ステップＳ３１２において、在宅時退館タイマー２１８によって第２の退館タイマ時間が経過していないと判断された場合には（ステップＳ３１２，Ｎｏ）、判断部２１９は、在宅時退館タイマー２１８が起動中に、操作表示部２２１において、居住者から監視領域の警備モードを警備解除状態に切り替える旨の切り替え操作を受け付けたか否かを判断する（ステップＳ３２０）。判断部２１９が、操作表示部２２１において、居住者から監視領域の警備モードを警備解除状態に切り替える旨の切り替え操作を受け付けたと判断した場合には（ステップＳ３２０，Ｙｅｓ）、異常通報部２１２は検知信号を取り消して（ステップＳ３２２）、在宅時退館タイマー２１８を停止する（ステップＳ３１８）。ステップＳ３２０において、判断部２１９が、操作表示部２２１において、居住者から監視領域の警備モードを警備解除状態に切り替える旨の切り替え操作を受け付けていないと判断した場合には（ステップＳ３２０，Ｎｏ）、ステップＳ３１２に戻る。上述したステップＳ３０４からステップＳ３２２までの処理は、在宅時退館タイマー２１８が第２の退館タイマ時間を計測している間に繰り返し行われる。
【００６９】
尚、在宅警備状態において、在宅時退館タイマー２１８が第２の退館タイマ時間計測中である場合の在宅時タイマー対象センサの動作については図示していないが、監視領域において、在宅時タイマー対象センサ２０２ａ〜２０２ｎによって異常が検知された場合には、在宅時退館タイマー２１８が予め定められた第２の入館タイマ時間を計測している間は、異常通報部２１２は、異常を検知した旨の監視センタ２５０に対する通報及び監視領域に対する報知を行わない。一方、監視領域において、外出時タイマー対象センサ２０１ａ〜２０１ｎによって、異常が検知された場合には、異常通報部２１２は、異常を検知した旨を監視センタ２５０に通報し、監視領域に対して異常検知した旨報知する。
【００７０】
次に、本実施の形態の警備装置１１０における、外出時退館タイマー２１６のタイマー処理の手順について説明する。図１１は、警備モードが外出警備状態に設定されている場合における、外出退館タイマーのタイマー処理の手順を示すフローチャートである。
【００７１】
判断部２１９は、操作表示部２２１において、居住者から監視領域の警備モードを外出警備状態に切り替える旨の切り替え操作を受け付けたか否かを判断する（ステップＳ４００）。判断部２１９が、操作表示部２２１において、居住者から監視領域の警備モードを外出警備状態に切り替える旨の切り替え操作を受け付けたと判断した場合には（ステップＳ４００，Ｙｅｓ）、判断部２１９は外出時退館タイマー２１６を起動する（ステップＳ４０２）。この外出時退館タイマー２１６により計測する第１の退館タイマ時間の設定時間は特定範囲に限定されるものではないが、前述した通り、在宅時退館タイマー２１８により計測する第２の退館タイマ時間よりも長い時間に設定することが好ましい。外出警備状態における居住者の安全を確保する必要性から０秒に設定することも可能である。ステップＳ４００において、判断部２１９が、操作表示部２２１において、居住者から監視領域の警備モードを外出警備状態に切り替える旨の切り替え操作を受け付けていないと判断した場合には（ステップＳ４００，Ｎｏ）、ステップＳ４００に戻る。
【００７２】
入出力制御部２０３は、外出時退館タイマー２１６起動中において、さらに監視領域のセンサから発報された検知信号とセンサＩＤを受信する（ステップＳ４０４）。判断部２１９は、センサテーブル記憶部２１４を参照し、センサテーブルから、受信したセンサＩＤに対応するタイマー対象を取得する（ステップＳ４０６）。次に、判断部２１９は、検知信号を発報したセンサが外出時タイマー対象センサ２０１ａ〜２０１ｎであるか否かを判断する（ステップＳ４０８）。判断部２１９が、検知信号を発報したセンサが外出時タイマー対象センサ２０１ａ〜２０１ｎであると判断した場合には（ステップＳ４０８，Ｙｅｓ）、異常通報部２１２は、入出力制御部２０３において受信した検知信号を保留にする（ステップＳ４１０）。判断部２１９が、検知信号を発報したセンサが外出時タイマー対象センサ２０１ａ〜２０１ｎでないと判断した場合には（ステップＳ４０８，Ｎｏ）、ステップＳ４１４に進む。
【００７３】
次に、外出時退館タイマー２１６は、第１の退館タイマ時間が経過したか否かを判断する（ステップＳ４１２）。外出時退館タイマー２１６によって、第１の退館タイマ時間が経過したと判断された場合には（ステップＳ４１２，Ｙｅｓ）、異常通報部２１２は、異常が検知された旨を監視センタ２５０に通報し（ステップＳ４１４）、監視領域に対して異常が検知された旨を報知する（ステップＳ４１６）。その後、判断部２１９は、外出時退館タイマー２１６を停止する（ステップＳ４１８）。ステップＳ４１２において、外出時退館タイマー２１６によって、第１の退館タイマ時間が経過していないと判断された場合には（ステップＳ４１２，Ｎｏ）、判断部２１９は、外出時退館タイマー２１８が起動中に、操作表示部２２１において、居住者から監視領域の警備モードを警備解除状態に切り替える旨の切り替え操作を受け付けたか否かを判断する（ステップＳ４２０）。判断部２１９が、操作表示部２２１において、居住者から監視領域の警備モードを警備解除状態に切り替える旨の切り替え操作を受け付けたと判断した場合には（ステップＳ４２０，Ｙｅｓ）、異常通報部２１２は検知信号を取り消して（ステップＳ４２２）、外出時退館タイマー２１６を停止する（ステップＳ４１８）。ステップＳ４２０において、判断部２１９が、操作表示部２２１において、居住者から監視領域の警備モードを警備解除状態に切り替える旨の切り替え操作を受け付けていないと判断した場合には（ステップＳ４２０，Ｎｏ）、ステップＳ４１２に戻る。上述したステップＳ４０４からステップＳ４２２までの処理は、外出時退館タイマー２１６起動中に繰り返し行われる。
【００７４】
このように、第１の実施の形態にかかる警備装置１１０によれば、警備モードが外出警備状態である場合と在宅警備状態である場合とで、異なるタイマーを用いて、それぞれについてタイマー時間を設定することが可能である。従って、警備モードが在宅警備状態である場合に、在宅時タイマーで計時すべきタイマ時間を外出時タイマーで計時すべきタイマ時間よりも短く設定することにより、監視センタ２５０に通報を発するまでの猶予時間を短縮することが可能である。これにより、居住者に危険が及ぶ事態を回避し、居住者の安全を確保するとともに、異常事態に迅速に対応することが可能である。
【００７５】
また、第１の実施の形態にかかる警備装置１１０によれば、外出時タイマーにより第１のタイマ時間を計測する場合と、在宅時タイマーにより第２のタイマ時間計測をする場合とで異なるセンサを使用するように構成するとともに、センサＩＤとタイマ対象とを対応付けた異常検知テーブルを記憶している。従って、外出時タイマー対象センサにより異常を検知した場合には外出時タイマーにより第１のタイマ時間を計測し、在宅時タイマー対象センサにより異常を検知した場合には在宅時タイマーにより第２のタイマ時間を計測することが可能である。これらのセンサーを外出時及び在宅時における居住者の経路に適宜配設することにより、適切なタイマー時間を計測することが可能である。
【００７６】
（第２の実施の形態）
上述した第１の実施の形態においては、警備モードが外出警備状態である場合と在宅警備状態である場合とで、異なるタイマーを用いて、異なるタイマ時間の設定が可能となるように構成していた。第２の実施の形態においては、警備モードが在宅警備状態である場合に、外出中である居住者が帰宅時に入館してくる入館出入口においてのみ外出時タイマーを起動させることができる。
【００７７】
図１２は、第２の実施の形態にかかる警備システム１０００の構成を示すブロック図である。警備装置（本体）１１１０は、ネットワーク２４０を解して監視センタ２５０に接続されている。ネットワーク２４０は、電話回線、無線ネットワーク、インターネットなどである。監視センタ２５０の機能及び構成については、第１の実施の形態と同様である。
【００７８】
次に、警備装置１１１０の詳細について説明する。本実施の形態にかかる警備装置１１１０は、入出力制御部２０３と、通信制御部２０４と、制御部１２１０と、複数のセンサ１２０１ａ〜１２０１ｎ、１２０３ａ〜１２０３ｎ、２０２ａ〜２０２ｎと、警備装置（コントローラ）２２０と、を主に備えている。制御部１２１０は、警備モード切替部１２１１と、異常通報部１２１２と、警備モード記憶部１２１３と、センサテーブル記憶部１２１４と、外出時入館タイマー１２１５と、外出時退館タイマー２１６と、在宅時入館タイマー２１７と、在宅時退館タイマー２１８と、判断部１２１９とを主に備えている。ここで、警備モード切替部１２１１、異常通報部１２１２、警備モード記憶部１２１３、センサテーブル記憶部１２１４、外出時入館タイマー１２１５、判断部１２１９、外出時タイマー対象センサ１２０１ａ〜１２０１ｎ、１２０３ａ〜１２０３ｎ以外の機能および構成については第１の実施の形態と同様である。
【００７９】
警備モード切替部１２１１の機能及び構成は、第１の実施の形態と同様である。本実施の形態においては、さらに、警備モードとして、帰宅待ち状態である在宅警備状態が存在する。帰宅待ち状態とは、主に居住者が在宅中に警備を必要とする場合で、一部の監視領域に対して外部からの進入を許可する警備モードであり、一部の監視領域において、センサによって異常を検知したときに発せられる検知信号を警備装置が受信した場合でも、監視センタへの警報の通報、監視領域における異常の検知、通報先端末への異常の通報のいずれも行わない状態である。これは、センサにより異常（人の存在の検知、扉の開閉の検知）検知されても、在宅中の居住者を検知したものと判断するためである。
【００８０】
異常通報部１２１２は、監視領域の警備モードが外出警備状態、在宅警備状態、帰宅待ち状態である在宅警備状態等の通報を行う状態に設定されているとき、即ち、警備モード記憶部１２１３に外出警備状態、在宅警備状態、帰宅待ち状態である在宅警備状態等が記憶されているとき、監視領域に設置されたセンサ１２０１ａ〜１２０１ｎ、センサ１２０３ａ〜１２０３ｎ、２０２ａ〜２０２ｎから検知信号が出力されると、これを入出力制御部２０３によって受信して、これを監視センタ２５０に対して異常が検知された旨を通報する。
【００８１】
図１３は、第２の実施の形態にかかる警備モードテーブルのデータ構造の一例を示す図である。本実施の形態においては、警備モードテーブルは、監視領域ＩＤと、警備モードとを対応付けて記憶している。警備モードを在宅警備状態に設定した場合、さらに帰宅待ち状態に設定することができる。例えば、監視領域ＩＤがＨ００２である部屋を在宅警備状態に設定し、さらに帰宅待ち状態に設定することができる。
【００８２】
図１４は、第２の実施の形態にかかるセンサテーブルのデータ構造の一例を示す図である。本実施の形態においては、センサテーブルは、センサＩＤと、センサ１２０１ａ〜１２０１ｎ、１２０３ａ〜１２０３ｎ、２０２ａ〜２０２ｎが、外出時タイマー（外出時入館タイマー１２１５若しくは外出時退館タイマー２１６）が起動する場合に用いるセンサであるか、あるいは、在宅時タイマー（在宅時入館タイマー２１７若しくは在宅時退館タイマー２１８）が起動する場合に用いるセンサかを示すタイマー対象と、警備モードが帰宅待ち状態である在宅警備状態の場合に、センサ１２０１ａ〜１２０１ｎ、１２０３ａ〜１２０３ｎ、２０２ａ〜２０２ｎが、外出時タイマーに対応して用いられる帰宅対象か否かを示す帰宅待ち対象と、監視領域の固有の識別情報である監視領域ＩＤとを対応付けて記憶している。
【００８３】
外出時入館タイマー１２１５は、警備モードが外出警備状態である場合と、帰宅待ち状態の在宅警備状態である場合に使用するタイマーである。警備モードが帰宅待ち状態である在宅警備状態の場合、監視領域に入館してきた入館者が検知されると、検知された時点から予め定められた所定の第１の入館タイマ時間を計測するものである。外出時入館タイマー１２１５の計時中は、監視領域において異常が検知されたとしても、入出力制御部２０３において受信した検知信号を保留し、異常通報部１２１２によって監視センタ２５０に対する異常検知した旨の通報及び監視領域に対する異常検知した旨の報知を行わないようにする。実施の形態１と同様に、外出時入館タイマー１２１５により計測する第１の入館タイマ時間は、在宅時入館タイマー２１７により計測する第２の入館タイマ時間より長い時間に設定することが好ましい。
【００８４】
判断部１２１９は、警備モードテーブルから監視領域ＩＤに対応する警備モードを取得し、監視領域における現在の警備モードが警備状態であるか警備解除状態であるか等を判断する。また、センサテーブルから検知信号のセンサＩＤに対応するタイマー対象と帰宅待ち対象と監視領域ＩＤを取得し、異常検知したセンサが在宅時タイマー対象センサであるか、外出時タイマー対象センサであるか、帰宅待ち状態が設定されているか等を判断する。
【００８５】
外出時タイマー対象センサ１２０１ａ〜１２０１ｎ、１２０３ａ〜１２０３ｎは、外出時タイマー１２１５、２１６が起動する場合に異常検知を行うセンサである。外出時タイマー対象センサ（帰宅待ち対象センサ）１２０１ａ〜１２０１ｎは、警備モードが帰宅待ち状態である在宅警備状態に設定されている場合に、異常検知を行う外出時タイマー対象センサである。外出時タイマー対象センサ（帰宅待ち非対象センサ）１２０３ａ〜１２０３ｎは、警備モードが外出警備状態に設定されている場合に、異常検知を行う外出時タイマー対象センサである。
【００８６】
次に、以上のように構成された本実施の形態の警備装置１１１０を、住居用建築物を監視領域として配設した一例を示して説明する。図１５は、第２の実施の形態にかかる警備装置１１１０を、住居用建築物を監視領域として配設した一例を示す説明図である。住居用建築物から屋外への出入口である１階の玄関と、２階のリビングルームからバルコニーへの出入り口及び３階の洋室３からバルコニーへの出入口と、ルーフバルコニーへの出入り口と、１階納戸及び２階リビングルームの側壁に、屋外に面して設けた窓の両端部には開閉センサが設置されている。また、住居用建築物の１階玄関から３階に至る階段状に屈曲した経路には、空間センサが設置されている。２階のリビングルームにはコントローラ２２０が配設されている。
【００８７】
上述の配置態様となる住居用建築物において、図１４において、警備モードが帰宅待ち状態である在宅警備状態に設定した場合の居住者の帰宅時の経路を実線で矢示している。外出時タイマー対象センサ１２０１ａ、１２０１ｂは、１階の玄関扉付近、１階の階段昇降口にそれぞれ設置してある。これら外出時タイマー対象センサ１２０１ａ、１２０１ｂは、在宅警備状態における帰宅者の経路に沿って配設されている。例えば、帰宅した居住者を外出時タイマー対象センサ１２０１ａで検知した時点から、外出時入館タイマーが所定の第１のタイマ時間を計測している間、実線で矢示する経路を通過する居住者を外出時タイマー対象センサ１２０１ｂで検知する。
【００８８】
在宅時タイマー対象センサ２０２ａ、２０２ｂ、２０２ｃは、２階の階段昇降口、３階の階段昇降口、３階の洋室２と洋室１とを仕切る扉付近にそれぞれ設置してある。これらの在宅時タイマー対象センサ２０２ａ、２０２ｂ、２０２ｃは、在宅警備状態における居住者の経路に沿って配設されている。例えば、２階のリビングルームを監視領域と設定する場合、コントローラ２２０により、居住者から警備モードを警備解除状態から在宅警備状態に切り替える旨の操作を受け付けた時点から、在宅時退館タイマーが所定の第２の退館タイマ時間を計測している間、在宅警備の対象とされたリビングルームから、警備解除状態に設定されている３階の洋室２及び洋室１に至る経路を通過する居住者を在宅時タイマー対象センサ２０２ａ、２０２ｂ、２０２ｃによって検知する。また、同様に２階のリビングルームを監視領域と設定する場合、警備解除状態に設定されている３階の洋室３から監視領域である２階のリビングルームに至る経路を通過する居住者を在宅時タイマー対象センサ２０２ｃで検知した時点から、在宅時入館タイマーが所定の第２の入館タイマー時間を計測している間、監視領域である２階のリビングルームに至る経路を通過する居住者を外出時タイマー対象センサ２０２ｂ、２０２ａで検知する。
【００８９】
次に、以上のように構成された本実施の形態の警備装置１１１０における、外出時入館タイマー１２１５のタイマー処理の手順について説明する。図１６及び図１７は、警備モードが帰宅待ち状態である在宅警備状態における外出時入館タイマーのタイマー処理の手順を示すフローチャートである。
【００９０】
入出力制御部２０３は、監視領域のセンサから最初に発報された検知信号とセンサＩＤを受信する（ステップＳ５００）。判断部１２１９は、センサテーブル記憶部１２１４を参照し、センサテーブルから、受信したセンサＩＤに対応するタイマー対象と帰宅待ち対象と監視領域ＩＤを取得する（ステップＳ５０２）。続いて判断部１２１９は、警備モードテーブルから、監視領域ＩＤに対応する警備モードを取得する（ステップＳ５０４）。判断部１２１９は、取得した警備モードが、帰宅待ち状態であるか否かを判断する（ステップＳ５０６）。判断部１２１９は、警備モードが帰宅待ち状態であると判断した場合には（ステップＳ５０６，Ｙｅｓ）、取得したタイマー対象から、異常検知したセンサが外出時タイマー対象センサ１２０１ａ〜１２０１ｎ、１２０３ａ〜１２０３ｎであるか否かを判断する（ステップＳ５０８）判断部１２１９が、異常検知したセンサが外出時タイマー対象センサ１２０１ａ〜１２０１ｎ、１２０３ａ〜１２０３ｎであると判断した場合は（ステップＳ５０８，Ｙｅｓ）、取得した帰宅待ち対象から、異常検知を行ったセンサが、帰宅対象であるか否かを判断する（ステップＳ５１０）。判断部１２１９が、異常検知を行ったセンサが、帰宅対象であると判断した場合には（ステップＳ５１０，Ｙｅｓ）、判断部１２１９は、外出時入館タイマー１２１５を起動する（ステップＳ５１２）。この外出時入館タイマー１２１５により計測する第１の入館タイマ時間の設定時間は特定範囲に限定されるものではないが、前述した通り、在宅時入館タイマー２１７により計測する第２の入館タイマ時間よりも長い時間に設定することが好ましい。外出警備状態における居住者の安全を確保する必要性から０秒に設定することも可能である。一方、ステップＳ５０６で判断部１２１９が、警備モードが帰宅待ち状態でないと判断した場合には（ステップＳ５０６，Ｎｏ）、ステップＳ５３０に進む。また、ステップＳ５０８において、判断部１２１９が、異常検知したセンサが外出時タイマー対象センサ１２０１ａ〜１２０１ｎ、１２０３ａ〜１２０３ｎでないと判断した場合は（ステップＳ５０８，Ｎｏ）、ステップＳ６００以降の処理に進む。ステップＳ５１０で、判断部１２１９が、異常検知を行ったセンサが、帰宅対象でないと判断した場合には（ステップＳ５１０，Ｎｏ）、ステップＳ５３０に進む。
【００９１】
入出力制御部２０３は、監視領域のセンサから発報された検知信号とセンサＩＤを受信する（ステップＳ５１４）。判断部１２１９は、センサテーブル記憶部１２１４を参照し、センサテーブルから、受信したセンサＩＤに対応するタイマー対象と帰宅待ち対象と監視領域ＩＤを取得する（ステップＳ５１６）。判断部１２１９は、取得したタイマー対象から、異常検知したセンサが外出時タイマー対象センサ１２０１ａ〜１２０１ｎ、１２０３ａ〜１２０３ｎであるか否かを判断する（ステップＳ５１８）。判断部１２１９が、異常検知したセンサが外出時タイマー対象センサ１２０１ａ〜１２０１ｎ、１２０３ａ〜１２０３ｎであると判断した場合は（ステップＳ５１８，Ｙｅｓ）、判断部１２１９は、取得した帰宅待ち対象から、異常検知を行ったセンサが、帰宅対象であるか否かを判断する（ステップＳ５２０）。判断部１２１９が、異常検知を行ったセンサが、帰宅対象であると判断した場合には（ステップＳ５２０，Ｙｅｓ）、異常通報部１２１２は、入出力制御部２０３において受信した検知信号を保留にするとともに（ステップＳ５２２）、監視領域に対して音声、メロディ音を出力し、異常を検知した旨を報知する（ステップＳ５２４）。ステップＳ５１８において、判断部１２１９が、異常検知したセンサが外出時タイマー対象センサ１２０１ａ〜１２０１ｎ、１２０３ａ〜１２０３ｎでないと判断した場合は（ステップＳ５１８，Ｎｏ）、ステップＳ５３０に進む。また、ステップＳ５２０において、判断部１２１９が、異常検知を行ったセンサが、外出時タイマーに対応して用いられる帰宅対象でないと判断した場合にも（ステップＳ５２０，Ｎｏ）、ステップＳ５３０に進む。
【００９２】
判断部１２１９は、外出時入館タイマー１２１５が起動中に、操作表示部２２１において、居住者から監視領域の警備モードを在宅警備状態に切り替える旨の切り替え操作を受け付けたか否かを判断する（ステップＳ５２６）。
【００９３】
ここで、監視領域の警備モードの切り替え処理について説明する。図１８は、操作表示部２２１における監視領域の警備モード設定画面の一例を示す模式図である。操作表示部２２１には、警備モード設定としての、外出警備状態、警備解除状態、在宅警備状態、帰宅待ち状態に対応する各ボタンが表示される。例えば、警備モードを警備解除状態から外出警備状態に設定する場合には、居住者が外出警備状態のボタンを押下すると、設定を行う警備モードが外出警備状態に選択される。このようにして、操作表示部２２１は、居住者による警備モードの選択を受け付ける。
【００９４】
判断部１２１９が、操作表示部２２１において、居住者から監視領域の警備モードを在宅警備状態に切り替える旨の切り替え操作を受け付けたと判断した場合には（ステップＳ５２６，Ｙｅｓ）、異常通報部１２１２は検知信号を取り消して（ステップＳ５３６）、外出時入館タイマー１２１５を停止する（ステップＳ５３４）。
【００９５】
ステップＳ５２６において、判断部１２１９が、操作表示部２２１において、居住者から監視領域の警備モードを在宅警備状態に切り替える旨の切り替え操作を受け付けていないと判断した場合には（ステップＳ５２６，Ｎｏ）、外出時入館タイマー１２１５は、第１の入館タイマ時間が経過したか否かを判断する（ステップＳ５２８）。外出時入館タイマー１２１５によって、第１の入館タイマ時間が経過したと判断された場合には（ステップＳ５２８，Ｙｅｓ）、異常通報部１２１２は、異常が検知された旨を監視センタ２５０に通報し（ステップＳ５３０）、監視領域に対して異常が検知された旨を報知する（ステップＳ５３２）。その後、判断部１２１９は、在宅時入館タイマー１２１５を停止する（ステップＳ５３４）。ステップＳ５２８において、外出時入館タイマー１２１５によって第１の入館タイマ時間が経過していないと判断された場合には（ステップＳ５２８，Ｎｏ）、ステップＳ５２６に戻る。上述したステップＳ５１４からステップＳ５３６までの処理は、外出時入館タイマー１２１５が所定の第１の入館タイマ時間を計測している間、繰り返し行われる。
【００９６】
ステップＳ５０８において、判断部１２１９が、異常検知したセンサが外出時タイマー対象センサ１２０１ａ〜１２０１ｎ、１２０３ａ〜１２０３ｎでないと判断した場合には、判断部１２１９は、検知信号を発報したセンサが在宅時タイマー対象センサ２０２ａ〜２０２ｎであるか否かを判断する（ステップＳ６００）。判断部１２１９は、検知信号を発報したセンサが在宅時タイマー対象センサ２０２ａ〜２０２ｎであると判断した場合には（ステップＳ６００，Ｙｅｓ）、第２の入館タイマ時間として設定された時間が０秒であるか否かを判断する（ステップＳ６０２）。判断部１２１９が、第２の入館タイマ時間として設定された時間が０秒でないと判断した場合には（ステップＳ６０２，Ｎｏ）、判断部１２１９は、在宅時入館タイマー２１７を起動する（ステップＳ６０４）。在宅時入館タイマー２１７は、予め定められた第１の入館タイマ時間を計測するものであって、第１の入館タイマ時間の設定時間は特定範囲に限定されるものではない。ステップＳ６００において、判断部１２１９が検知信号を発報したセンサが在宅時タイマー対象センサ２０２ａ〜２０２ｎでないと判断した場合には（ステップＳ６００，Ｎｏ）、ステップＳ６１８に進む。また、ステップＳ６０２において判断部１２１９が、第２の入館タイマ時間として設定された時間が０秒であると判断した場合には（ステップＳ６０２，Ｙｅｓ）、ステップＳ６１８に進む。
【００９７】
入出力制御部２０３は、在宅時入館タイマー２１７起動中において、さらに監視領域のセンサから発報された検知信号とセンサＩＤを受信する（ステップＳ６０６）。判断部１２１９は、センサテーブル記憶部１２１４を参照し、センサテーブルから、受信したセンサＩＤに対応するタイマー対象を取得する（ステップＳ６０８）。次に、判断部１２１９は、検知信号を発報したセンサが在宅時タイマー対象センサ２０２ａ〜２０２ｎであるか否かを判断する（ステップＳ６１０）。判断部１２１９が、検知信号を発報したセンサが在宅時タイマー対象センサ２０２ａ〜２０２ｎであると判断した場合には（ステップＳ６１０，Ｙｅｓ）、異常通報部１２１２は、入出力制御部２０３において受信した検知信号を保留にする（ステップＳ６１２）。判断部１２１９が、検知信号を発報したセンサが在宅時タイマー対象センサ２０２ａ〜２０２ｎでないと判断した場合には（ステップＳ６１０，Ｎｏ）、ステップＳ６１８に進む。
【００９８】
判断部１２１９は、在宅時入館タイマー２１７が起動中に、操作表示部２２１において、居住者から監視領域の警備モードを在宅警備状態に切り替える旨の切り替え操作を受け付けたか否かを判断する（ステップＳ６１４）。判断部１２１９が、操作表示部２２１において、居住者から監視領域の警備モードを在宅警備状態に切り替える旨の切り替え操作を受け付けたと判断した場合には（ステップＳ６１４，Ｙｅｓ）、異常通報部１２１２は検知信号を取り消して（ステップＳ６２４）、在宅時入館タイマー２１７を停止する（ステップＳ６２２）。
【００９９】
判断部１２１９が、操作表示部２２１において、居住者から監視領域の警備モードを在宅警備状態に切り替える旨の切り替え操作を受け付けていないと判断した場合には（ステップＳ６１４，Ｎｏ）、在宅時入館タイマー２１７は第２の入館タイマ時間が経過したか否かを判断する（ステップＳ６１６）。在宅時入館タイマー２１７が、第２の入館タイマ時間が経過したと判断した場合には（ステップＳ６１６，Ｙｅｓ）、異常通報部１２１２は、異常が検知された旨を監視センタ２５０に通報し（ステップＳ６１８）、監視領域に対して異常が検知された旨を報知する（ステップＳ６２０）。その後、判断部１２１９は、在宅時入館タイマー２１７を停止する（ステップＳ６２２）。ステップＳ６１６において、在宅時入館タイマー２１７が第２の入館タイマ時間が経過していないと判断した場合には（ステップＳ６１６，Ｎｏ）、ステップＳ６１４に戻る。上述したステップＳ６０６からステップＳ６２４までの処理は、在宅時入館タイマー２１７が所定の第２の入館タイマ時間を計測している間に繰り返し行われる。
【０１００】
なお、変形例として、上述したステップＳ５０６において、判断部１２１９が警備モードが帰宅待ち状態でないと判断した場合に、ステップＳ６００以降の処理に進むこととしてでもよい。
【０１０１】
続いて、警備モードが帰宅待ち状態である在宅警備状態に設定されている場合における、帰宅対象である外出時タイマー対象センサ１２０１ａ〜１２０１ｎの動作について説明する。図１９は、警備モードが帰宅待ち状態である在宅警備状態に設定されている場合における、帰宅対象である外出時タイマー対象センサの動作を示すタイムチャートである。
【０１０２】
外出時タイマー対象センサ（帰宅待ち対象センサ）１２０１ａ〜１２０１ｎによって、監視領域において異常を検知された場合には、外出時入館タイマー１２１５が予め定められた第１の入館タイマ時間Ｔ１を計測している間は、異常通報部１２１２は、異常を検知した旨、監視センタ２５０に対する通報及び監視領域に対する報知を行わない。一方、外出時タイマー対象センサ（帰宅待ち非対象センサ）１２０３ａ〜１２０３ｎによって監視領域において異常が検知された場合には、異常通報部１２１２は、異常を検知した旨を監視センタ２５０に通報し、監視領域に対して異常検知した旨報知する。
【０１０３】
このように、第２の実施の形態にかかる警備装置１１１０によれば、警備モードが在宅警備状態で帰宅待ち状態に設定した場合、タイマで計時した猶予時間はセンサが人体検知をしても、すぐに検知信号を発報せずにメロディ音を発し、非帰宅待ち状態に設定した場合、センサによる人体検知信号を即時に発報することができる。これにより、在宅警備状態で帰宅待ち状態に設定した場合、居住者に危険が及ぶ事態を回避し、居住者の安全を確保するとともに、異常事態に迅速に対応することが可能である。
【図面の簡単な説明】
【０１０４】
【図１】第１の実施の形態にかかる警備システムの構成を示すブロック図である。
【図２】第１の実施の形態にかかる警備モードテーブルのデータ構造の一例を示す図である。
【図３】第１の実施の形態にかかるセンサテーブルのデータ構造の一例を示す図である。
【図４】第１の実施の形態にかかる警備装置を、住居用建築物を監視領域として配設した一例を示す説明図である。
【図５】警備モードが在宅警備状態に設定されている場合における、在宅時入館タイマーのタイマー処理の手順を示すフローチャートである。
【図６】警備モードが在宅警備状態に設定されている場合において、在宅時入館タイマーが第２の入館タイマ時間計測中である場合における在宅時タイマー対象センサの動作を示すタイムチャートである。
【図７】操作表示部における監視領域の警備モード設定画面の一例を示す模式図である。
【図８】警備モードが外出警備状態に設定されている場合における、外出時入館タイマーのタイマー処理の手順を示すフローチャートである。
【図９】警備モードが外出警備状態に設定されている場合において、外出時入館タイマーが第１の入館タイマ時間計測中である場合における外出時タイマー対象センサの動作を示すタイムチャートである。
【図１０】警備モードが在宅警備状態に設定されている場合における、在宅時退館タイマーのタイマー処理の手順を示すフローチャートである。
【図１１】警備モードが外出警備状態に設定されている場合における、外出時退館タイマーのタイマー処理の手順を示すフローチャートである。
【図１２】第２の実施の形態にかかる警備システムの構成を示すブロック図である。
【図１３】第２の実施の形態にかかる警備モードテーブルのデータ構造の一例を示す図である。
【図１４】第２の実施の形態にかかるセンサテーブルのデータ構造の一例を示す図である。
【図１５】第２の実施の形態にかかる警備装置を、住居用建築物を監視領域として配設した一例を示す説明図である。
【図１６】警備モードが帰宅待ち状態である在宅警備状態における外出時入館タイマーのタイマー処理の手順を示すフローチャートである。
【図１７】図１６の続きを示すフローチャートである。
【図１８】操作表示部における監視領域の警備モード設定画面の一例を示す模式図である。
【図１９】警備モードが帰宅待ち状態である在宅警備状態に設定されている場合における、帰宅対象である外出時タイマー対象センサの動作を示すタイムチャートである。
【符号の説明】
【０１０５】
１００，１０００  警備システム
１１０，１１１０  警備装置（本体）
２０１ａ〜２０１ｎ，２０２ａ〜２０２ｎ  センサ
１２０１ａ〜１２０１ｎ，１２０３ａ〜１２０３ｎ  センサ
２０３  入出力制御部
２０４  通信制御部
２１０，１２１０  制御部
２１１，１２１１  警備モード切替部
２１２，１２１２  異常通報部
２１３，１２１３  警備モード記憶部
２１４，１２１４  センサテーブル記憶部
２１５，１２１５  外出時入館タイマー
２１６  外出時退館タイマー
２１７  在宅時入館タイマー
２１８  在宅時退館タイマー
２１９，１２１９  判断部
２２０  警備装置（コントローラ）
２２１  操作表示部
２２２  マイク
２２３  スピーカ
２４０  ネットワーク
２５０  監視センタ
【図１】
2009163418.tif 000003
【図２】
2009163418.tif 000004
【図３】
2009163418.tif 000005
【図４】
2009163418.tif 000006
【図５】
2009163418.tif 000007
【図６】
2009163418.tif 000008
【図７】
2009163418.tif 000009
【図８】
2009163418.tif 000010
【図９】
2009163418.tif 000011
【図１０】
2009163418.tif 000012
【図１１】
2009163418.tif 000013
【図１２】
2009163418.tif 000014
【図１３】
2009163418.tif 000015
【図１４】
2009163418.tif 000016
【図１５】
2009163418.tif 000017
【図１６】
2009163418.tif 000018
【図１７】
2009163418.tif 000019
【図１８】
2009163418.tif 000020
【図１９】
2009163418.tif 000021